(57)【要約】  本発明は、次の成分：（ａ）２重量％〜２０重量％の粘土と；（ｂ）０．５重量％〜１０重量％のポリジメチルシロキサンと；（ｃ）０．１重量％〜５重量％の凝集成分と；（ｄ）５重量％〜２５重量％の陰イオン性洗浄界面活性剤と；（ｅ）１重量％〜２２重量％のゼオライトと；（ｆ）１２重量％〜３０重量％の炭酸塩を含む固形粒子状の洗濯用洗剤組成物であって；前記粘土及びポリジメチルシロキサンが共に前記組成物中に共同微粒子混合体の形で存在する、固形粒子状の洗濯用洗剤組成物を提供する。【特許請求の範囲】
【請求項１】
以下の成分：
（ａ）２重量％〜２０重量％の粘土；
（ｂ）０．５重量％〜１０重量％のポリジメチルシロキサン；
（ｃ）０．１重量％〜５重量％の凝集成分；
（ｄ）５重量％〜２５重量％の陰イオン性洗浄界面活性剤；
（ｅ）１重量％〜２２重量％のゼオライト；
（ｆ）１２重量％〜３０重量％のカーボネート
を含む固形粒子状の洗濯用洗剤組成物であって；
前記粘土及びポリジメチルシロキサンが共に前記組成物中に共同微粒子混合体の形で存在する、固形粒子状の洗濯用洗剤組成物。
【請求項２】
前記組成物が、自由流動性粒子の形態である、請求項１に記載の組成物。
【請求項３】
前記組成物が、４重量％〜８重量％の粘土を含む、請求項１又は２に記載の組成物。
【請求項４】
前記組成物が、１．３重量％〜１．８重量％のポリジメチルシロキサンを含む、請求項１〜３のいずれか１項に記載の組成物。
【請求項５】
前記組成物が、６重量％〜１２重量％の陰イオン性洗浄界面活性剤を含む、請求項１〜４のいずれか１項に記載の組成物。
【請求項６】
前記組成物が、８重量％〜１２重量％のゼオライトを含む、請求項１〜５のいずれか１項に記載の組成物。
【請求項７】
前記組成物が、１５重量％〜２１重量％の炭酸塩を含む、請求項１〜６のいずれか１項に記載の組成物。
【請求項８】
前記陰イオン性洗浄界面活性剤が、直鎖又は分枝鎖の、置換又は非置換の、Ｃ１０〜１３アルキルベンゼンスルホネートを含む、請求項１〜７のいずれか１項に記載の組成物。
【請求項９】
ゼオライト対Ｃ１０〜１３アルキルベンゼンスルホネートの重量比が、０．６７を超え２未満である、請求項８に記載の組成物。
【請求項１０】
前記陰イオン性洗浄界面活性剤が：（ａ）直鎖又は分枝鎖の、置換又は非置換の、Ｃ１０〜１３アルキルベンゼンスルホネート；及び（ｂ）直鎖又は分枝鎖の、置換又は非置換の、Ｃ８〜１８アルキルサルフェートを含み、前記アルキルベンゼンスルホネート（ａ）対アルキルサルフェート（ｂ）の重量比が５：１を超える、請求項１〜９のいずれか１項に記載の組成物。
【請求項１１】
前記組成物が、０．１重量％〜５重量％のポリマー性ポリカルボキシレートを含む、請求項１〜１０のいずれか１項に記載の組成物。
【請求項１２】
前記粘土が、スメクタイト粘土を含む、請求項１〜１１のいずれか１項に記載の組成物。
【請求項１３】
前記粘土が、モンモリロナイト粘土を含む、請求項１〜１２のいずれか１項に記載の組成物。
【請求項１４】
前記組成物が、０．１重量％〜０．４重量％の凝集成分を含む、請求項１〜１３のいずれか１項に記載の組成物。
【請求項１５】
前記凝集成分が、ポリエチレンオキシドを含む、請求項１〜１４のいずれか１項に記載の組成物。
【請求項１６】
前記ポリジメチルシロキサンが一般式：
【化１】
2007522291.tif 000008
を有し、前記式中、Ｒ１及びＲ２がそれぞれメチルであり；ｘが５０を超える数である、請求項１〜１５のいずれか１項に記載の組成物。
【請求項１７】
前記ポリジメチルシロキサンの粘度が、剪断速度２０ｓ−１及び温度２０℃で測定する場合、５０Ｐａ・ｓ（５０，０００ｃｐ）〜４００Ｐａ・ｓ（４００，０００ｃｐ）である、請求項１〜１６のいずれか１項に記載の組成物。
【請求項１８】
前記ポリジメチルシロキサンが、予備乳化形態である、請求項１〜１７のいずれか１項に記載の組成物。
【請求項１９】
前記の粘土対ポリジメチルシロキサンの重量比が、５：１を超え１０：１までの範囲である、請求項１〜１８のいずれか１項に記載の組成物。
【請求項２０】
前記の粘土対ポリジメチルシロキサンの重量比が、２：１を超え５：１未満の範囲である、請求項１〜１９のいずれか１項に記載の組成物。
【請求項２１】
前記陰イオン性洗浄界面活性剤が、アルコキシル化陰イオン性洗浄界面活性剤を含む、請求項１〜２０のいずれか１項に記載の組成物。
【請求項２２】
前記組成物が、２重量％未満の非イオン性洗浄界面活性剤を含む、請求項１〜２１のいずれか１項に記載の組成物。
【請求項２３】
前記組成物が、２重量％未満の酢酸ナトリウム三水和物を含む、請求項１〜２２のいずれか１項に記載の組成物。
【発明の詳細な説明】
【技術分野】
【０００１】
本発明は、固形粒子状の洗濯用洗剤組成物、特に自由流動性粒子の形態のものに関する。とりわけ本発明は、粘土及びポリジメチルシロキサンを含む洗濯用洗剤組成物に関する。
【背景技術】
【０００２】
洗濯プロセス中に布地を洗浄すると共に柔らかくする洗濯用洗剤組成物は公知であり、洗濯用洗剤製造業者によって長年開発及び販売されている。典型的に、これら洗濯用洗剤組成物は、洗濯された布地に柔軟仕上げ効果を与えることができる構成成分を含み；これら柔軟仕上げ成分には、粘土類及びシリコーン類が包含される。
【０００３】
洗濯された布地に柔軟仕上げ効果を与えるための洗濯用洗剤組成物への粘土の混入は、以下の参考文献に記載されている。洗濯プロセス中に布地を洗浄すると共に柔らかくすることもできる、スメクタイト粘土を含む粒状の一体型洗濯用洗剤組成物は、ＵＳ４，０６２，６４７（ストーム  Ｔ．Ｄ．（Storm,T.D.）、及びニルシュル  Ｊ．Ｐ．（Nirschl,J.P.）；プロクター・アンド・ギャンブル（The Procter & Gamble Company））に記載されている。ベントナイト粘土粒塊類を含む重質柔軟仕上げ洗剤は、ＧＢ２１３８０３７（アレン  Ｅ．（Allen,E.）、コーチュリュー  Ｍ．（Coutureau,M.）、及びディラーストーン  Ａ．（Dillarstone,A.）；コルゲート・パーモリーブ社（Colgate-Palmolive Company）に記載されている。１５０〜２，０００マイクロメートルの寸法の柔軟仕上げ用粘土類を含有する洗濯用洗剤組成物は、ＵＳ４，８８５，１０１（タイ  Ｈ．Ｔ．（Tai,H.T.）；リーバ・ブラザーズ社（Lever Brothers Company）に記載されている。粘土含有洗濯用洗剤組成物の柔軟仕上げ性能は、粘土含有洗濯用洗剤組成物への凝集助剤の混入によっても与えられる。例えば、スメクタイト系粘土及びポリマー性粘土凝集剤を含む洗剤組成物は、ＥＰ０２９９５７５（ラムドンク  Ｈ．（Raemdonck,H.）及びブッシュ  Ａ．（Busch,A.）；プロクター・アンド・ギャンブル社（The Procter & Gamble Company））に記載されている。
【０００４】
洗濯プロセス中に洗濯される布地に柔軟仕上げ効果を与えるためのシリコーン類の使用は、以下の参考文献に記載されている。ＵＳ４，５８５，５６３（ブッシュ  Ａ．（Busch,A.）及びコスマス  Ｓ．（Kosmas,S.）；プロクター・アンド・ギャンブル社（The Procter & Gamble Company））には、特定の有機官能性ポリジアルキルシロキサン類を粒状洗剤中に有利に混入して洗浄による柔軟性及び更には織物の処理の改善をも含めた顕著な効果を提供することができることが記載されている。ＵＳ５，２７７，９６８（カニヴェン  Ｅ．（Canivenc,E.）；ローヌ・プーラン・ケミー（Rhone-Poulenc Chemie））には、織物基材を調湿してこれに気持ちよさ及び良好な疎水性を与えるとされる方法であって、かかる織物基材を有効な調湿量の特定のポリジオルガノシロキサンで処理することを含む方法が記載されている。
【０００５】
洗剤製造業者は、粘土とシリコーンの両方を同一の洗濯用洗剤組成物に混入しようと試みている。ＵＳ４，４１９，２５０（アレン  Ｅ．（Allen,E.）、ディラーストーン  Ｒ．（Dillarstone,R.）及びリュール  Ｊ．Ａ．（Reul,J.A.）；コルゲート・パーモリーブ社（Colgate-Palmolive Company））には、低級アルキルシリコン酸（siliconic acid）の塩及び／又はその重合生成物を含む凝集ベントナイト粒子が記載されている。ＵＳ４，４２１，６５７（アレン  Ｅ．（Allen,E.）、ディラーストーン  Ｒ．（Dillarstone,R.）及びリュール  Ｊ．Ａ．（Reul,J.A.）；コルゲート・パーモリーブ社（Colgate-Palmolive Company））には、ベントナイト粘土及びシリコネート（siliconate）を含む粒子状重質洗濯及び柔軟仕上げ組成物が記載されている。ＵＳ４，４８２，４７７（アレン  Ｅ．（Allen,E.）、ディラーストーン  Ｒ．（Dillarstone,R.）及びリュール  Ｊ．Ａ．（Reul,J.A.）；コルゲート・パーモリーブ社（Colgate-Palmolive Company））には、柔軟仕上げ剤として調剤支援割合のシリコネート（siliconate）及び好ましくはベントナイトを包含する粒子状の一体型合成有機洗剤組成物が記載されている。別の例では、ＥＰ０１６３３５２（ヨーク  Ｄ．Ｗ．（York,D.W.）；プロクター・アンド・ギャンブル社（The Procter & Gamble Company））には、洗濯プロセス中に粘土含有洗濯用洗剤組成物によって生成される過剰の泡を制御しようと粘土含有洗濯用洗剤組成物へシリコーンを混入することが記載されている。ＥＰ０３８１４８７（ビギン  Ｉ．Ｓ．（Biggin,I.S.）及びカートライト  Ｐ．Ｓ．（Cartwright,P.S.）；ＢＰケミカルズ（BP Chemicals Limited））には、ポリシロキサンなどのバリア材料で前処理した粘土を含む水性液体洗剤製剤が記載されている。
【０００６】
洗剤製造業者はまた、シリコーン、粘土及び凝集剤を洗濯用洗剤組成物に混入することも試みている。例えば、置換ポリシロキサン類、柔軟仕上げ用粘土及び粘土凝集剤を含む布地処理組成物が、ＰＣＴ国際公開特許ＷＯ  ９２／０７９２７（マルテリュール  Ｃ．Ａ．Ａ．Ｖ．Ｊ．（Marteleur,C.A.A.V.J.）及びコベンツ  Ａ．Ｃ．（Convents,A.C.）；プロクター・アンド・ギャンブル社（The Procter & Gamble Company））に記載されている。
【０００７】
最近になって、有機物親和性粘土及び機能性油（functionalised oil）を含む布地ケア組成物が、ＵＳ６，６５６，９０１Ｂ２（ムーアフィールド  Ｄ．（Moorfield,D.）及びウィルトン  Ｎ．（Whilton,N.）；コノプコ社のユニリーバ・ホーム・アンド・パーソナル・ケアＵＳＡ事業部（Unilever Home & Personal Care USA division of Conopco,Inc.））に記載されている。ＰＣＴ国際公開特許ＷＯ  ０２／０９２７４８（インストーン  Ｔ．（Instone,T.）ら；ユニリーバＰＬＣ（Unilever PLC））には、非イオン性界面活性剤と非水溶性液体と粒状担体物質との一体型混合物を含む粒状組成物が記載されている。ＰＣＴ国際公開特許ＷＯ  ０３／０５５９６６（コカード  Ｄ．Ｍ．（Cocardo,D.M.）ら；ヒンダスタン・リーバ（Hindustan Lever Limited））には、固形担体及びしわ取り剤を含む布地ケア組成物が記載されている。
【０００８】
また一方、ポリジメチルシロキサンも、固形粒子状の洗濯用洗剤組成物へ混入して布地柔軟仕上げ効果を与えるのに好ましいシリコーン成分である。これは、ポリジメチルシロキサンの布地柔軟仕上げ効果、その重量効率、及び前記洗濯用洗剤組成物の他の成分とのその有害な相互作用傾向の低さに起因する。さらに、ポリジメチルシロキサン構造の化学的に非置換の性質は、ポリジメチルシロキサンが化学分解を起こす可能性の低さのために、良好な製品内での安定特性をも導く。
【発明の開示】
【発明が解決しようとする課題】
【０００９】
しかしながら、ポリジメチルシロキサンの非置換の性質は、これが非常に疎水性の材料であることも意味する。加えて、ポリジメチルシロキサンは、周囲条件では流体状であって、固形粒子状の洗濯用洗剤組成物へ簡単に乾燥付加することはできず；好適な固形担体物質を使用する必要がある。粘土は、ポリジメチルシロキサンにとって最も好ましい固形担体物質である。これは、粘土の良好な吸収性、非水溶性及び触知できる特性に起因している；粘土は、良好な柔軟仕上げを促進する形態で布地上に堆積するように、洗浄溶液中で膨潤及び分散することが可能である。しかしながら、ポリジメチルシロキサンの非常に高い疎水性のために、ポリジメチルシロキサンを粘土と混合する場合は、その結果得られる粒子状混合物が疎水性となり、そのことが低い柔軟仕上げ特性を導く。理論に束縛されるものではないが、疎水性の粘土−ポリジメチルシロキサン粒子状混合物は洗浄溶液中で膨潤及び分散するのが容易ではなく、そのため、良好な柔軟仕上げ効果は提供されないと考えられる。本発明者らは、驚いたことに、固形粒子状の洗濯用洗剤組成物中に存在する必要のある他の特定の成分の量を選択的に変更することによって、ポリジメチルシロキサンと粘土の両方を互いに混合して固形粒子状の洗濯用洗剤組成物へ混入して良好な柔軟仕上げ性能を与えることができることを見出した。
【課題を解決するための手段】
【００１０】
本発明は、次の成分：（ａ）２重量％〜２０重量％の粘土と；（ｂ）０．５重量％〜１０重量％のポリジメチルシロキサンと；（ｃ）０．１重量％〜５重量％の凝集成分と；（ｄ）５重量％〜２５重量％の陰イオン性洗浄界面活性剤と；（ｅ）１重量％〜２２重量％のゼオライトと；（ｆ）１２重量％〜３０重量％の炭酸塩を含む固形粒子状の洗濯用洗剤組成物であって；前記粘土及びポリジメチルシロキサンが共に前記組成物中に共同微粒子混合体の形で存在する、固形粒子状の洗濯用洗剤組成物を提供する。
【発明を実施するための最良の形態】
【００１１】
粘土
典型的に、粘土は、スメクタイト粘土などの柔軟仕上げ用粘土を含む。好ましいスメクタイト粘土類は、バイデライト粘土類、ヘクトライト粘土類、ラポナイト粘土類、モンモリロナイト粘土類、ノントナイト粘土類（nontonite clays）、サポナイト粘土類、及びこれらの混合物である。好ましくは、スメクタイト粘土は２八面体型のスメクタイト粘土、より好ましくはモンモリロナイト粘土である。２八面体型のスメクタイト粘土は、典型的には、以下の２つの一般式のうち一方を有する：
式（Ｉ）      ＮａｘＡｌ２−ｘＭｇｘＳｉ４Ｏ１０（ＯＨ）２
又は
式（ＩＩ）      ＣａｘＡｌ２−ｘＭｇｘＳｉ４Ｏ１０（ＯＨ）２
前記式中、ｘは０．１〜０．５まで、好ましくは０．２〜０．４までの数である。
【００１２】
好ましい粘土類は、上記式（Ｉ）に対応する一般式を有する低荷電モンモリロナイト粘土類である（ナトリウムモンモリロナイト粘土又はワイオミング（Wyoming）系モンモリロナイト粘土としても知られている）。好ましい粘土類はまた、上記式（ＩＩ）に対応する一般式を有する高荷電モンモリロナイト粘土類である（カルシウムモンモリロナイト粘土又はチェト（Cheto）系モンモリロナイト粘土としても知られている）。好ましい粘土類は、以下の商標名で供給される：アルキラス・アクティヴァダス・アンディナス（Arcillas Activadas Andinas）からのフラソフト（Fulasoft）１；フォーダミン（Fordamin）からのホワイト・ベントナイト（White Bentonite）ＳＴＰ；ズード・ケミー（Sud Chemie）からのローンドロシル（Laundrosil）ｅｘ  ０２４２；及びラビオサ・ケミカ・ミネラリアＳＰＡ（Laviosa Chemica Mineraria SPA）からのデテルカル（Detercal）Ｐ７。スメクタイト粘土類、特にモンモリロナイト粘土類は、それらの望ましい膨潤及び分散特性のために好ましく、このことが良好な柔軟仕上げ特性を導く。
【００１３】
粘土はヘクトライト粘土を含んでいてもよい。典型的なヘクトライト粘土は以下の式を有する：
式（ＩＩＩ）      ［（Ｍｇ３−ｘＬｉｘ）Ｓｉ４−ｙＭｅＩＩＩｙＯ１０（ＯＨ２−ｚＦｚ）］−（ｘ＋ｙ）（（ｘ＋ｙ）／ｎ）Ｍｎ＋
前記式中、ｙ＝０〜０．４であり、ｙ＝＞０の場合ＭｅＩＩＩはＡｌ、Ｆｅ又はＢであり、好ましくはｙ＝０；Ｍｎ＋は一価（ｎ＝１）又は二価（ｎ＝２）の金属イオンであり、好ましくはＮａ、Ｋ、Ｍｇ、Ｃａ及びＳｒから選択される。ｘは０．１〜０．５まで、好ましくは０．２〜０．４まで、より好ましくは０．２５〜０．３５までの数である。ｚは０〜２までの数である。（ｘ＋ｙ）の値は、粘土の層荷電であり、好ましくは（ｘ＋ｙ）の値は、０．１〜０．５、好ましくは０．２〜０．４、より好ましくは０．２５〜０．３５までの範囲である。好ましいヘクトライト粘土は、レオックス（Rheox）から商標名ベントン（Bentone）ＨＣとして供給されるものである。本明細書で使用するための他の好ましいヘクトライト粘土類は、ＣＳＭマテリアルズ（CSM Materials）からそれぞれ商標名ヘクトライト（Hectorite）Ｕ及びヘクトライト（Hectorite）Ｒとして供給されるヘクトライト粘土類である。
【００１４】
粘土は、アロフェン粘土類；緑泥石粘土類（好ましい緑泥石粘土類はアメス石粘土類、ベイリクロア粘土類、シャモス石粘土類、クリノクロア粘土類、クーク石粘土類、コランドファイト粘土類、月桂石粘土類、鉄緑泥石粘土類、ゴニェライト粘土類、ニマイト粘土類、オディナイト粘土類、斜方シャモス石粘土類、パナンタイト粘土類、ペンニナイト粘土類、リピドライト粘土類、須藤石粘土類及び塊緑泥石粘土類である）；イライト粘土類；混合層粘土類；オキシ水酸化鉄粘土類（好ましいオキシ水酸化鉄粘土類は、赤鉄鉱粘土類、針鉄鉱粘土類、レピドクライト（Lepidocrite）粘土類及び水酸化鉄粘土類である）；カオリン粘土類（好ましいカオリン粘土類は、カオリナイト粘土類、ハロイ石粘土類、ディカイト粘土類、ナクライト粘土類、及びヒシンゲル石粘土類である）；スメクタイト粘土類；バーミキュライト粘土類；並びにこれらの混合物から成る群から選択される粘土を含んでいてもよい。
【００１５】
粘土は、波長４６０ｎｍで好ましくは少なくとも６０、より好ましくは少なくとも７０、又は少なくとも８０の反射率を有する淡色結晶性粘土鉱物を含んでいてもよい。好ましい淡色結晶性粘土鉱物類は、陶土類、ハロイ石粘土類、２八面体粘土類（例えばカオリナイト）、３八面体粘土類（例えばアンチゴライト及びアメス石）、スメクタイト及びホルマイト粘土類（例えばベントナイト（モンモリロナイト）、バイディライト（beidilite）、ノントロナイト、ヘクトライト、アタパルジャイト、ピメライト、雲母、白雲母及びバーミキュライト粘土類）、並びに、葉蝋石／タルク、ウイレムサイト及びミネソタ石粘土である。好ましい淡色結晶性粘土鉱物類は、ＧＢ２３５７５２３Ａ及びＰＣＴ国際公開特許ＷＯ  ０１／４４４２５に記載されている。
【００１６】
好ましい粘土類の陽イオン性交換容量（cationic exchange capacity）は少なくとも７０ｍｅｑ／１００ｇである。粘土類の陽イオン性交換容量（cationic exchange capacity）は、グリムショー（Grimshaw）、粘土の化学と物理学（The Chemistry and Physics of Clays）、インターサイエンス・パブリッシャーズ（Interscience Publishers,Inc.）、２６４〜２６５頁（１９７１年）に記載の方法を用いて測定することができる。
【００１７】
好ましくは、粘土類の重量平均一次粒径は、典型的には２０マイクロメートルを超え、好ましくは２３マイクロメートルを超え、好ましくは２５マイクロメートルを超え、又は好ましくは２１マイクロメートル〜６０マイクロメートル、より好ましくは２２マイクロメートル〜５０マイクロメートル、より好ましくは２３マイクロメートル〜４０マイクロメートル、より好ましくは２４マイクロメートル〜３０マイクロメートル、より好ましくは２５マイクロメートル〜２８マイクロメートルである。これらの好ましい重量平均一次粒径を有する粘土類は、更に改善された柔軟仕上げ効果をもたらす。しかしながら、粘土は、１０〜５０マイクロメートル、より好ましくは２０〜４０マイクロメートルの重量平均粒径を有することが好ましい場合もある。以降に、粘土の重量平均粒径の決定方法をより詳細に説明する。
【００１８】
粘土の重量平均一次粒径の決定方法：
粘土の重量平均一次粒径は、典型的には以下の方法を用いて求められる：粘土１２ｇを、蒸留水２５０ｍＬを含むガラスビーカーに入れて、５分間激しく攪拌して粘土溶液を形成する。粘土は超音波処理又は高圧マイクロ流動化加工装置内でマイクロ流動化せずに、未処理の形態で（すなわち、原料のままの形態で）水の入ったビーカーに加えられる。粘土溶液１ｍｌをマイクロピペットを用いてアキュサイザー（Accusizer）７８０単一粒子光学分粒器（ＳＰＯＳ）のリザーバ容積に加える。アキュサイザー７８０  ＳＰＯＳのリザーバ容積に加えた粘土溶液をより多くの蒸留水で希釈して希釈粘土溶液を形成する；この希釈は、アキュサイザー７８０  ＳＰＯＳのリザーバ容積内で行われ、アキュサイザー７８０  ＳＰＯＳによって制御される自動化プロセスであって、希釈粘土溶液で粘土粒子の重量平均粒径を求めるための希釈粘土溶液の最適な濃度を決定する。希釈粘土溶液をアキュサイザー７８０  ＳＰＯＳのリザーバ容積内に３分間放置する。粘土溶液は、アキュサイザー７８０  ＳＰＯＳのリザーバ容積内に存在する期間の間中、激しく攪拌する。希釈粘土溶液をその後、アキュサイザー７８０  ＳＰＯＳのセンサーを通じて吸引する；これは、アキュサイザー７８０  ＳＰＯＳによって制御される自動化プロセスであって、希釈粘土溶液で粘土粒子の重量平均粒径を求めるための、センサーを通過する希釈粘土溶液の最適流量を決定する。この方法の工程はいずれも、温度２０℃で行われる。この方法を３回ずつ行って、これらの結果の平均を求める。
【００１９】
ポリジメチルシロキサン
ポリジメチルシロキサンは以下の一般式を有する：
【化１】
2007522291.tif 000002
前記式中、Ｒ１及びＲ２はそれぞれメチルであり；並びにｘは数であり、典型的には５０を超える数である。
【００２０】
ポリジメチルシロキサンの粘度は、剪断速度２０ｓ−１並びに周囲条件（２０℃及び１０１ｋＰａ（１気圧））で測定する場合、典型的には５Ｐａ・ｓ（５，０００ｃｐ）〜１，０００Ｐａ・ｓ（１，０００，０００ｃｐ）、又は１０Ｐａ・ｓ（１０，０００ｃｐ）〜１，０００Ｐａ・ｓ（１，０００，０００ｃｐ）、又は１０Ｐａ・ｓ（１０，０００ｃｐ）〜６００Ｐａ・ｓ（６００，０００ｃｐ）、より好ましくは５０Ｐａ・ｓ（５０，０００ｃｐ）〜４００Ｐａ・ｓ（４００，０００ｃｐ）である。これら好ましい粘度を有するポリジメチルシロキサン類は、布地に最適に付着して良好な柔軟仕上げ効果を与える。前記粘度は、典型的には、ＡＳＴＭ  Ｄ  ２９８３法に準拠して、２５℃においてブルックフィールド粘度計（Brookfield Viscositmeter）を用いて測定される。
【００２１】
ポリジメチルシロキサンは好ましくは予備乳化形態であり、これはポリジメチルシロキサンが粘土と混合されるため特に有益である；粒子状混合物の加工性は、シリコーンが予備乳化形態であれば改善される。予備乳化形態とは、粒子状混合物の調製プロセス中にシリコーンを粘土に混合するときに、シリコーンがエマルション形態であることを意味する。典型的に、前記エマルションの容積平均一次液滴直径は、０．１マイクロメートル〜５，０００マイクロメートル、好ましくは０．１マイクロメートル〜５０マイクロメートル、最も好ましくは０．１マイクロメートル〜５マイクロメートルである。容積平均一次粒径（volume average primary particle size）は、典型的には、コールター・マルチサイザー（Coulter Multisizer）（登録商標）を用いて又は以下により詳細に説明する方法によって測定される。前記エマルションの粘度は、典型的には、１．５Ｐａ・ｓ（１，５００ｃｐ）〜５０Ｐａ・ｓ（５０，０００ｃＰ）、好ましくは約２Ｐａ・ｓ（２，０００ｃｐ）〜１５Ｐａ・ｓ（１５，０００ｃＰ）である。前記エマルションは、ポリジメチルシロキサン／溶媒混合物の乳化を助けるために水及び／又は他の溶媒を有効量で含んでいてもよい。
【００２２】
典型的に、ポリジメチルシロキサンの重量平均分子量は０．００６１ａｇ（３，７００Ｄａ）を超える。
【００２３】
前記エマルションの容積平均液滴直径の決定方法：
前記エマルションの容積平均液滴直径は、典型的には、以下の方法で求められる：エマルションを顕微鏡スライドに塗布して、カバー・スリップを静かに貼り付ける。エマルションを顕微鏡において４００倍及び１，０００倍で観察して、前記エマルションの平均液滴直径を、標準的なステージ・マイクロメータと比べて算出する。
【００２４】
凝集成分
凝集成分は粘土を凝集することが可能である。典型的に、凝集成分はポリマーである。好ましくは、凝集成分は、エチレンオキシド、アクリルアミド、アクリル酸、ジメチルアミノエチルメタクリレート、ビニルアルコール、ビニルピロリドン、エチレンイミン、及びこれらの組み合わせから成る群より選択されるモノマー単位を含むポリマーである。好ましくは、凝集成分は、エチレンオキシド、アクリルアミド、アクリル酸及びこれらの混合物から成る群より選択されるモノマー単位を含むポリマーである。好ましくは、凝集成分はポリエチレンオキシドである。典型的に、凝集成分の重量平均分子量は、少なくとも０．１６ａｇ（１００，０００Ｄａ）、好ましくは０．２５ａｇ（１５０，０００Ｄａ）〜８．３ａｇ（５，０００，０００Ｄａ）、最も好ましくは０．３３２ａｇ（２００，０００Ｄａ）〜１．１６ａｇ（７００，０００Ｄａ）である。重量平均分子量は典型的にはゲル透過クロマトグラフィーを用いて求められる。好ましくは、凝集成分はポリエチレンオキシドから構成される。このことは、ポリエチレンオキシドの粘土に対する強い親和性のために好ましい。
【００２５】
陰イオン性洗浄界面活性剤
陰イオン性洗浄界面活性剤は、アルキルサルフェート、アルキルスルホネート、アルキルホスフェート、アルキルホスホネート、アルキルカルボキシレート又はこれらのいずれかの混合物を含むことができる。前記陰イオン性界面活性剤は以下のものから成る群より選択される分子を含むことができる：Ｃ１０〜Ｃ１８アルキルベンゼンスルホネート類（ＬＡＳ）、好ましくはＣ１０〜Ｃ１３アルキルベンゼンスルホネート類；Ｃ８〜Ｃ１８一級、分枝鎖、直鎖及びランダム鎖アルキルサルフェート（ＡＳ）であって、典型的には以下の式を有するもの：
式（Ｖ）：      ＣＨ３（ＣＨ２）ｘＣＨ２−ＯＳＯ３−Ｍ＋
前記式中、Ｍは、水素、又は電気的中性を与える陽イオンであって、好ましい陽イオン類は、ナトリウム及びアンモニウム陽イオンであり、この場合ｘは少なくとも７、好ましくは少なくとも９の整数である；Ｃ１０〜Ｃ１８二級（２，３）アルキルサルフェート類であって、典型的には以下の式を有するもの：
【化２】
2007522291.tif 000003
前記式中、Ｍは水素、又は電気的中性を与える陽イオンであって、好ましい陽イオン類は、ナトリウム及びアンモニウム陽イオンであり、この場合ｘは少なくとも７、好ましくは少なくとも９の整数であり、ｙは少なくとも８、好ましくは少なくとも９の整数である；Ｃ１０〜Ｃ１８アルキルアルコキシカルボキシレート類；ＵＳ６，０２０，３０３及びＵＳ６，０６０，４４３により詳細に記載されている中鎖分枝状アルキルサルフェート類；ＰＣＴ国際公開特許ＷＯ  ９９／０５２４３、同ＷＯ  ９９／０５２４２、同ＷＯ  ９９／０５２４４、同ＷＯ  ９９／０５０８２、同ＷＯ  ９９／０５０８４、同ＷＯ  ９９／０５２４１、同ＷＯ  ９９／０７６５６、同ＷＯ  ００／２３５４９、及び同ＷＯ  ００／２３５４８により詳細に記載されている変性アルキルベンゼンスルホネート（ＭＬＡＳ）；メチルエステルスルホネート（ＭＥＳ）；α−オレフィンスルホネート（ＡＯＳ）並びにこれらの混合物。非常に好ましいのは、市販の直鎖アルキルアルコール類の硫酸化によって生成される直鎖アルキルサルフェート類であって；好適な直鎖アルキルアルコール類としては、サソール（Sasol）から商標名ライアル（Lial）（登録商標）及びサフォル（Safol）（登録商標）として供給されるもの、又はシェル（Shell）から商標名ネオドール（Neodol）（登録商標）として供給されるものが挙げられる。
【００２６】
好ましい陰イオン性洗浄界面活性剤は、以下のものから成る群より選択される分子を含む：直鎖又は分枝鎖の、置換又は非置換のＣ８〜１８アルキルサルフェート類；直鎖又は分枝鎖の、置換又は非置換のＣ１１〜１３アルキルベンゼンスルホネート類、好ましくは直鎖Ｃ１０〜１３アルキルベンゼンスルホネート類；及びこれらの混合物。非常に好ましいのは、直鎖Ｃ１０〜１３アルキルベンゼンスルホネート類である。これは、前記組成物が良好な脂汚れクリーニング性能を有することが望ましい場合に特に好ましい。非常に好ましいのは、市販の直鎖アルキルベンゼン類（ＬＡＢ）をスルホン化することによって生成される直鎖Ｃ１０〜１３アルキルベンゼンスルホネート類であって；好適なＬＡＢには、サソール（Sasol）から商標名アイソケム（Isochem）（登録商標）として供給されるもの、又はペトレーザ（Petresa）から商標名ペトレラブ（Petrelab）（登録商標）として供給されるもののような低２−フェニルＬＡＢが包含され、他の好適なＬＡＢには、サソール（Sasol）から商標名ハイブレン（Hyblene）（登録商標）として供給されるものなどの高２−フェニルＬＡＢが挙げられる。
【００２７】
陰イオン性洗浄界面活性剤は、典型的には、粒子状の形態、例えば、粒塊、噴霧乾燥粉末、押出品、ビーズ、麺、針又はフレークである。陰イオン性洗浄界面活性剤の一部は、噴霧乾燥粉末の形態（例えば、ブロー粉末）であることが好ましい場合があり、また陰イオン性洗浄界面活性剤の一部は、非噴霧乾燥粉末の形態（例えば、粒塊、又は押出品、又は直鎖アルキルベンスルホネートフレークなどのフレーク）であることが好ましい場合があり；好適な直鎖アルキルベンスルホネートフレーク類は、パイロット・ケミカル（Pilot Chemical）から商標名Ｆ９０（登録商標）として、又はステパン（Stepan）から商標名ナコノール（Nacconol）９０Ｇ（登録商標）として供給される。
【００２８】
陰イオン性洗浄界面活性剤は：（ａ）直鎖又は分枝鎖の、置換又は非置換のＣ１０〜１３アルキルベンゼンスルホネート及び（ｂ）直鎖又は分枝鎖の、置換又は非置換のＣ８〜１８アルキルサルフェートを含むのが好ましい場合があり、この場合アルキルベンゼンスルホネート（ａ）対アルキルサルフェート（ｂ）の重量比は５：１を超え、さらには１０：１を超える。これは、広範な汚れの種類全体に良好な洗浄を確実にするのに好ましい。
【００２９】
陰イオン性洗浄界面活性剤は、アルコキシル化陰イオン性洗浄界面活性剤を含むのが好ましい場合もある。好ましいアルコキシル化陰イオン性洗浄界面活性剤は、アルキルエトキシル化サルフェート類であって、典型的には以下の式を有する：
式（ＶＩＩ）      ＣＨ３（ＣＨ２）ｘＣＨ２−Ｏ（ＣＨ２ＣＨ２Ｏ）ｙＳＯ３−Ｍ＋
前記式中、Ｍは、水素、又は電気的中性を与える陽イオンであり、好ましい陽イオン類は、ナトリウム及びアンモニウム陽イオンであり、この場合ｘは少なくとも７、好ましくは少なくとも９の整数であり、ｙは、１〜２０まで、好ましくは１〜１０まで、より好ましくは２〜４までの整数である。これは、前記組成物が硬水条件において良好な布地クリーニング性能を有することが望ましい場合に特に好ましい。
【００３０】
ゼオライト
ゼオライトは、以下のものを包含するどのようなゼオライトでもあり得る：方沸石族の構成要素、例えば、方沸石（含水ケイ酸アルミニウムナトリウムとしても公知である）、ポルクス石及びワイラケ沸石；ベルバーガイト；ビキタアイト；ボグザイト；ブリュスター沸石；菱沸石族の構成要素、例えば、菱沸石及びウィルヘンダーソナイト；コウルス沸石；ダキアルディ沸石；エディントン沸石；剥沸石；エリオン沸石；フォージャ沸石；苦土沸石；ギスモンド沸石の構成要素、例えば、アミカイト、ガロン沸石、ギスモンド沸石及びゴビンス沸石；グメリン沸石；ゴンナルド沸石；グースクリーカイト；ハーモトン（harmotone）族の構成要素、例えば、重土十字沸石、灰十字沸石及び灰重十字沸石；輝沸石族の構成要素、例えば、斜プチロル沸石及び輝沸石；濁沸石；レナイン（lenyne）；マッチー沸石；メルリーノ沸石；マンテソマイト；モルデン沸石；ソーダ沸石族の構成要素、例えば、中沸石、ソーダ沸石、スコレス沸石；オフレット沸石；パラナトロライト；ポーリング沸石；ペルリアライト；束沸石族の構成要素、例えば、バラー沸石、束沸石及びステラ沸石；トムプソナイト（thompsonite）；チャーニック沸石；湯河原沸石；並びにこれらの混合物。
【００３１】
好ましいゼオライトは、典型的には、ゼオライトＡ、ゼオライトＰ、ゼオライトＭＡＰ、ゼオライトＸ及びこれらの混合物から成る群より選択される。しかしながら、特に好ましいゼオライトはゼオライトＡである。ゼオライトＡは典型的には次の一般式を有する：
式（ＶＩＩＩ）      Ｎａ１２［（Ａｌ２Ｏ３）１２（ＳｉＯ２）１２］．ｘＨ２０
前記式中、ｘは２０〜３０、好ましくは２７である。好適なゼオライトは、クロスフィールド（Crossfield）から商標名ドーシル（Doucil）（登録商標）として、又はＩＣＬから商標名シンセティック・ゼオライト（Synthetic Zeolite）Ａ（登録商標）として供給されるものである。ゼオライトの重量平均粒径は２〜８マイクロメートルであることが好ましい場合がある。
【００３２】
炭酸塩
炭酸塩は、典型的には炭酸塩のアルカリ又はアルカリ土類金属塩である。好ましい炭酸塩は、炭酸ナトリウム及び／又は重炭酸ナトリウムである。非常に好ましい炭酸塩は、炭酸ナトリウムである。炭酸塩、又はそれらのうち少なくとも一部は、典型的には粒子状であって、通常、１００〜５００マイクロメートル、又は１００〜１２０マイクロメートルの範囲の重量平均粒径を有する。また一方、炭酸塩、又はそれらのうち少なくとも一部は、微紛化粒子状であって、典型的には４〜４０マイクロメートルの範囲の重量平均粒径を有することが好ましい場合もある。好ましい炭酸塩は、ブルーナー・モンド（Brunner Mond）から商標名・軽量炭酸ナトリウム（Light Sodium Carbonate）（登録商標）として供給される炭酸ナトリウムである。
【００３３】
補助成分
補助成分は、典型的には、陽イオン性洗浄界面活性剤類、非イオン性洗浄界面活性剤類、双極性洗浄界面活性剤類、ビルダー類、ポリマー性混合ビルダー類（co-builders）（例えば、ポリマー性ポリカルボキシレート類）、漂白剤、キレート剤類、酵素類、再付着防止ポリマー類、汚れ放出ポリマー類、ポリマー性汚れ分散剤及び／又は汚れ懸濁剤類、移染防止剤類、布地整合性剤類（fabric-integrity agents）、光沢剤類、発泡抑制剤類、柔軟仕上げ剤類、凝集剤類、陽イオン性柔軟仕上げ成分、香料及びこれらの組み合わせから成る群より選択される。
【００３４】
洗濯用洗剤組成物
洗濯用洗剤組成物は、固形粒子状、例えば、錠剤型、より好ましくは自由流動性粒子の形態である。「自由流動性粒子の形態」は、典型的には、別個の離散粒子の形態を意味する。好ましくは、前記組成物は、錠剤又はバーの形態ではない粒状組成物である。自由流動性粒子の形態の洗濯用洗剤は、３００ｇ／Ｌ〜１５００ｇ／Ｌ、好ましくは４５０ｇ／L〜８５０ｇ／Ｌの容積密度を有する。
【００３５】
前記組成物は、２重量％〜２０重量％、好ましくは３重量％〜１４重量％、より好ましくは４重量％〜８重量％の粘土、又は８重量％を超え１４重量％までの粘土を含む。これは、良好な柔軟仕上げ効果を与えると同時に、良好な白さ維持特性を包含する良好な布地クリーニング性能をも達成するための粘土の最適濃度である：高い粘土濃度は、低い白さ維持特性を生じさせる高いリスクを導く。前記組成物は、０．５重量％〜１０重量％、好ましくは０．５重量％〜５重量％、より好ましくは０．５重量％〜３重量％のポリジメチルシロキサン、更に好ましくは１．３重量％〜１．８重量％のポリジメチルシロキサンを含む。これは、必要とされる濃度の粘土と混合して、良好な加工性及び良好な流動特性を有する粒子状混合物を達成するためのポリジメチルシロキサンの最適濃度である。好ましくは、粘土対ポリジメチルシロキサンの重量比は、５：１を超え１０：１までの範囲である。あるいは、粘土対ポリジメチルシロキサンの重量比は、２：１を超え５：１未満の範囲であることが好ましい場合もある。
【００３６】
粘土とポリジメチルシロキサンは共に前記組成物中に共同微粒子混合体の形で存在する。共同微粒子混合体とは、粘土とシリコーンが共に前記組成物中に同一粒子で存在することを意味し；例えば、粘土とシリコーンを互いに混合してポリジメチルシロキサンと粘土の両方を含む粒子を形成する。好ましくは、共同微粒子混合体は粒塊の形態であり、典型的には、粒塊は、任意の好適な洗濯用洗剤アグロメレーション法によって生成される。好ましくは、共同微粒子混合体の容積密度は５００〜１，５００ｇ／Ｌ、より好ましくは７００〜１，０００ｇ／Ｌである。好ましくは、共同微粒子混合体の重量平均粒径の平均（weight average mean particle size）は、３００〜８００マイクロメートル、より好ましくは５００〜６００マイクロメートルである。好ましくは、１０重量％未満の共同微粒子混合体が２５０マイクロメートル未満の粒径を有し、好ましくは１０重量％未満の共同微粒子混合体が１，１８０マイクロメートルを越える粒径を有する。
【００３７】
前記組成物は、０．１重量％〜５重量％の凝集成分、好ましくは０．１重量％〜０．４重量％の凝集成分を含む。これは、良好な柔軟仕上げ特性を確実にするために最適な濃度である。前記組成物は、５重量％〜２５重量％の陰イオン性洗浄界面活性剤、好ましくは５重量％〜２０重量％、又は６重量％〜１２重量％の陰イオン性洗浄界面活性剤を含む。前記組成物は、１重量％〜２２重量％のゼオライト、好ましくは４重量％〜１６重量％、好ましくは８重量％〜１２重量％、又は好ましくは１２重量％を超え１６重量％までのゼオライトを含む。前記組成物は、１２重量％〜３０重量％の炭酸塩、好ましくは１５重量％〜２１重量％の炭酸塩を含む。陰イオン性洗浄界面活性剤、ゼオライト及び炭酸塩のこれら濃度は、良好な柔軟仕上げ性能を達成すると同時に、良好な布地クリーニング特性をも確実にするために最適な濃度である。最適な柔軟仕上げ及び布地クリーニング特性を確実にするために特に好ましいのは、陰イオン性洗浄界面活性剤がＣ１０〜１３アルキルベンゼンスルホネートを含むときであって、この場合、ゼオライト対Ｃ１０〜１３アルキルベンゼンスルホネートの重量比は、２．８：１未満、より好ましくは０．１：１〜２：１、又は好ましくは０．６７を超え２未満である。ゼオライト対Ｃ１０〜１３アルキルベンゼンスルホネートの重量比が０．６７以下の場合、前記組成物は好ましくは過酸素の供給源などの漂白剤を含み；かかる組成物中の漂白剤の存在が、前記組成物の白さ性能を向上又は復活させるのに役立つ。
【００３８】
前記組成物は典型的に１以上の補助成分を含む。好ましくは、前記組成物は、０．１重量％〜５重量％のポリマー性ポリカルボキシレート（例えば、マレイン酸とアクリル酸のコポリマー）を含む。このことは、前記組成物が良好な白さクリーニング特性を有することを確実にするのに好ましく、また、ゼオライト対Ｃ１０〜１３アルキルベンゼンスルホネートの重量比が２．８：１未満である場合に特に好ましい。好ましくは、前記組成物は、２重量％未満の非イオン性洗浄界面活性剤を含む。このことは、温水条件下での良好な布地クリーニング性能を確実にすると同時に、良好な柔軟仕上げ特性をも確実にするのに好ましい。非イオン性洗浄界面活性剤としては、シェル（Shell）から商標名ネオドール（Neodol）（登録商標）として市販されているものなどのアルコールエトキシレート類が挙げられる。しかしながら、前記組成物には非イオン性洗浄界面活性剤が含まれていないことが好ましい場合もある。好ましくは、前記組成物は２重量％未満の酢酸ナトリウム三水和物を含み、より好ましくは、前記組成物は酢酸ナトリウム三水和物を含まない。
【実施例】
【００３９】
水性スラリーの組成
【表１】
2007522291.tif 000004
【００４０】
噴霧乾燥粉末の調製
上記組成物を有する水性スラリーを湿分含量２６．３％に調製する。水性スラリーを８０℃まで加熱して、空気入口温度が２７０℃〜３００℃の向流噴霧乾燥塔へポンプで（８〜８．５ＭＰａ（８０〜８５Ｂａｒ））高圧下注入する。水性スラリーを霧化して、霧状のスラリーを乾燥させて固体混合物を製造し、これをその後冷却し、篩い分けて必要以上に大きな物質（＞１．８ｍｍ）を除去して、自由流動性の噴霧乾燥粉末を形成する。微細な物質（＜０．１５ｍｍ）は、噴霧乾燥塔内で排気によって水簸して、ポストタワー格納システム内に回収する。噴霧乾燥粉末は、湿分含量３．０重量％、容積密度３６０〜４１０ｇ／Ｌ、及び噴霧乾燥粉末の９２．５重量％が粒径１５０〜７１０マイクロメートルを有するような粒径分布を有する。噴霧乾燥粉末の組成を以下に示す。
【００４１】
噴霧乾燥粉末の組成
【表２】
2007522291.tif 000005
【００４２】
粘土シリコーン粒塊の調製
エマルション作製：粘度１００Ｐａ・ｓ（１００，０００ｃｐ）のポリジメチルシロキサン（ＰＤＭＳ）１．１７ｋｇを混合容器中の活性物質３０％の直鎖アルキルベンゼンスルホネート水溶液０．１２ｋｇに加えて、均質ＰＤＭＳエマルションが形成されるまでパドル式攪拌器を用いて１〜２分の間、十分に混合する。
【００４３】
粒塊作製：１回分の粒塊は、１バッチ仕込量８ｋｇのＦＭ５０ローディッジ（Lodige）バッチミキサー内で作製される。粉末化した粘土をミキサーに加える。続いて、（すき刃を保持する）主軸、及び高速チョッパーを始動し、粉末を攪拌して流動化する。ミキサーの運転中に、水０．４５ｋｇ及び均質ＰＤＭＳエマルション１．２９ｋｇを同時にミキサー内のチョッパー刃付近に投入して、流体を粉末に分散させる。十分なアグロメレーションが生じて湿潤粒塊が形成するまで、混合を続ける。湿潤粒塊はその後、粒塊の水分が（赤外線で測定して）４重量％〜８重量％となるまで流動床式乾燥機において１４０℃で３〜４分間乾燥させる。必要以上に大きな粒子（例えば、直径が１．４ｍｍを超えるもの）を篩い分けによって除去し、また微細なもの（例えば、直径が０．２５ｍｍ未満のもの）は、流動床式排気を通じて、及び所望により更に篩い分けすることによって除去する。結果として得られるＰＤＭＳ／粘土粒塊は典型的には以下の組成を有し、洗濯用洗剤組成物へ混入するのに好適である。
【００４４】
ＰＤＭＳ／粘土粒塊の組成
【表３】
2007522291.tif 000006
【００４５】
本発明にかかる粒状の洗濯用洗剤組成物の調製
噴霧乾燥粉末９．８９ｋｇ、ＰＤＭＳ／粘土粒塊２．１２ｋｇ、及び他の個別に投与される乾燥付加物質７．９９ｋｇ（合計量）を、２．５ｒａｄ／ｓ（２４ｒｐｍ）で作動している直径１ｍのコンクリートバッチミキサーに投与する。前記材料全てがミキサーに投与された時点で、混合物を５分間混合し、それと同時に香料を噴霧により適用して粒状の洗濯用洗剤組成物を形成する。粒状の洗濯用洗剤組成物の形成を以下に説明する。
【００４６】
本発明にかかる粒状の洗濯用洗剤組成物
【表４】
2007522291.tif 000007
【国際調査報告】
2007522291.tif 000009
2007522291.tif 000010
2007522291.tif 000011